【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
少なくとも、記録再生波長に対して吸収スペクトルの最大吸収波長が長波長側に存在する有機材料層と、入射光から見て該有機材料層の奥側に隣接し該有機材料層よりも高屈折率の上引層を設けた構造を有する追記型光記録媒体。
【請求項２】
少なくとも、記録再生波長に対して吸収スペクトルの最大吸収波長が長波長側に存在し、記録再生波長で屈折率が最小となる有機材料層と、入射光から見て該有機材料層の奥側に隣接し該有機材料層よりも高屈折率の上引層を設けた構造を有する追記型光記録媒体。
【請求項３】
基板上に、記録再生波長に対して吸収スペクトルの最大吸収波長が長波長側に存在する有機材料層、上引層、保護層が順次設けられた構造を有し、記録再生が基板側から行われることを特徴する追記型光記録媒体。
【請求項４】
基板上に、記録再生波長に対して吸収スペクトルの最大吸収波長が長波長側に存在し、記録再生波長で屈折率が最小となる有機材料層、上引層、保護層が順次設けられた構造を有し、記録再生が基板側から行われることを特徴する追記型光記録媒体。
【請求項５】
基板上に、多重反射効果を最適化するエンハンス層、記録再生波長に対して吸収スペクトルの最大吸収波長が長波長側に存在する有機材料層、上引層、保護層が順次設けられた構造を有し、記録再生が基板側から行われることを特徴する追記型光記録媒体。
【請求項６】
基板上に、多重反射効果を最適化するエンハンス層、記録再生波長に対して吸収スペクトルの最大吸収波長が長波長側に存在し、記録再生波長で屈折率が最小となる有機材料層、上引層、保護層が順次設けられた構造を有し、記録再生が基板側から行われることを特徴する追記型光記録媒体。
【請求項７】
基板上に、上引層、記録再生波長に対して吸収スペクトルの最大吸収波長が長波長側に存在する有機材料層、カバー層が順次設けられた構造を有し、記録再生がカバー層側から行われることを特徴する追記型光記録媒体。
【請求項８】
基板上に、上引層、記録再生波長に対して吸収スペクトルの最大吸収波長が長波長側に存在し、記録再生波長で屈折率が最小となる有機材料層、カバー層が順次設けられた構造を有し、記録再生がカバー層側から行われることを特徴する追記型光記録媒体。
【請求項９】
基板上に、上引層、記録再生波長に対して吸収スペクトルの最大吸収波長が長波長側に存在する有機材料層、多重反射効果を最適化するエンハンス層、カバー層が順次設けられた構造を有し、記録再生がカバー層側から行われることを特徴する追記型光記録媒体。
【請求項１０】
基板上に、上引層、記録再生波長に対して吸収スペクトルの最大吸収波長が長波長側に存在し、記録再生波長で屈折率が最小となる有機材料層、多重反射効果を最適化するエンハンス層、カバー層が順次設けられた構造を有し、記録再生がカバー層側から行われることを特徴する追記型光記録媒体。
【請求項１１】
上引層が、記録再生波長における複素屈折率の実部ｎが２．５以上であり、かつ複素屈折率の虚部が０．５以上である材料を含有することを特徴とする請求項１乃至１０の何れか１項に記載の追記型光記録媒体。
【請求項１２】
上引層が、記録再生波長における複素屈折率の実部ｎが４．０以上である材料を含有することを特徴とする請求項１乃至１０の何れか１項に記載の追記型光記録媒体。
【請求項１３】
記録レーザ光を照射した際に、有機材料層の光吸収機能及び／又は上引層の光吸収機能によって有機材料層中の有機材料が分解し、記録再生波長での屈折率が増加することで記録が行われることを特徴とする請求項１１又は１２記載の追記型光記録媒体。
【請求項１４】
記録レーザ光を照射した際に、有機材料層の光吸収機能及び／又は上引層の光吸収機能によって、記録再生波長よりも長波長側に存在する有機材料層の吸収帯の吸収係数が減少し、記録再生波長での屈折率が増加することで記録が行われることを特徴とする請求項１１又は１２記載の追記型光記録媒体。
【請求項１５】
記録によって上引層が有機材料層側へ変形することを特徴とする請求項１１又は１２記載の追記型光記録媒体。
【請求項１６】
上引層が有機材料層よりも高硬度を有する材料からなることを特徴とする請求項１１又は１２記載の追記型光記録媒体。
【請求項１７】
上引層がＳｉ又はＧｅを含有することを特徴とする請求項１１又は１２記載の追記型光記録媒体。
【請求項１８】
エンハンス層がＳｉＯ２又はＺｎＳ−ＳｉＯ２を主成分とすることを特徴とする請求項１１又は１２記載の追記型光記録媒体。
【請求項１９】
３５０ｎｍ以上５００ｎｍ以下の記録再生波長に対応する有機材料層及び上引層を有することを特徴とする請求項１１又は１２記載の追記型光記録媒体。
【請求項２０】
記録レーザ光の照射によって、有機材料層中の有機材料を分解させ、記録再生波長での屈折率を増加させることで情報の記録再生を行うことを特徴とする請求項１１又は１２記載の追記型光記録媒体の記録再生方法。
【請求項２１】
記録レーザ光の照射によって、記録再生波長よりも長波長側に存在する有機材料層の吸収帯の吸収係数を減少させ、記録再生波長での屈折率を増加させることで情報の記録再生を行うことを特徴とする請求項１１又は１２記載の追記型光記録媒体の記録再生方法。
【請求項２２】
記録レーザ光の照射によって、有機材料層中の有機材料を分解させて記録再生波長での屈折率を増加させ、かつ上引層を有機材料層側へ変形させることで情報の記録再生を行うことを特徴とする請求項１１又は１２記載の追記型光記録媒体の記録再生方法。
【請求項２３】
記録レーザ光の照射によって、記録再生波長よりも長波長側に存在する有機材料層の吸収帯の吸収係数を減少させて記録再生波長での屈折率を増加させ、かつ上引層を有機材料層側へ変形させることで情報の記録再生を行うことを特徴とする請求項１１又は１２記載の追記型光記録媒体の記録再生方法。
【請求項２４】
記録再生波長を３５０ｎｍ以上５００ｎｍ以下としたことを特徴とする請求項２０乃至２３の何れか１項に記載の記録再生方法。
【手続補正２】
【補正対象書類名】明細書
【補正対象項目名】００１５
【補正方法】変更
【補正の内容】
【００１５】
【課題を解決するための手段】
上記課題は、次の１）〜２４）の発明（以下、本発明１〜２４という）によって解決される。
１）  少なくとも、記録再生波長に対して吸収スペクトルの最大吸収波長が長波長側に存在する有機材料層と、入射光から見て該有機材料層の奥側に隣接し該有機材料層よりも高屈折率の上引層を設けた構造を有する追記型光記録媒体。
２）  少なくとも、記録再生波長に対して吸収スペクトルの最大吸収波長が長波長側に存在し、記録再生波長で屈折率が最小となる有機材料層と、入射光から見て該有機材料層の奥側に隣接し該有機材料層よりも高屈折率の上引層を設けた構造を有する追記型光記録媒体。
３）  基板上に、記録再生波長に対して吸収スペクトルの最大吸収波長が長波長側に存在する有機材料層、上引層、保護層が順次設けられた構造を有し、記録再生が基板側から行われることを特徴する追記型光記録媒体。
４）  基板上に、記録再生波長に対して吸収スペクトルの最大吸収波長が長波長側に存在し、記録再生波長で屈折率が最小となる有機材料層、上引層、保護層が順次設けられた構造を有し、記録再生が基板側から行われることを特徴する追記型光記録媒体。
５）  基板上に、多重反射効果を最適化するエンハンス層、記録再生波長に対して吸収スペクトルの最大吸収波長が長波長側に存在する有機材料層、上引層、保護層が順次設けられた構造を有し、記録再生が基板側から行われることを特徴する追記型光記録媒体。
６）  基板上に、多重反射効果を最適化するエンハンス層、記録再生波長に対して吸収スペクトルの最大吸収波長が長波長側に存在し、記録再生波長で屈折率が最小となる有機材料層、上引層、保護層が順次設けられた構造を有し、記録再生が基板側から行われることを特徴する追記型光記録媒体。
７）  基板上に、上引層、記録再生波長に対して吸収スペクトルの最大吸収波長が長波長側に存在する有機材料層、カバー層が順次設けられた構造を有し、記録再生がカバー層側から行われることを特徴する追記型光記録媒体。
８）  基板上に、上引層、記録再生波長に対して吸収スペクトルの最大吸収波長が長波長側に存在し、記録再生波長で屈折率が最小となる有機材料層、カバー層が順次設けられた構造を有し、記録再生がカバー層側から行われることを特徴する追記型光記録媒体。
９）  基板上に、上引層、記録再生波長に対して吸収スペクトルの最大吸収波長が長波長側に存在する有機材料層、多重反射効果を最適化するエンハンス層、カバー層が順次設けられた構造を有し、記録再生がカバー層側から行われることを特徴する追記型光記録媒体。
１０）  基板上に、上引層、記録再生波長に対して吸収スペクトルの最大吸収波長が長波長側に存在し、記録再生波長で屈折率が最小となる有機材料層、多重反射効果を最適化するエンハンス層、カバー層が順次設けられた構造を有し、記録再生がカバー層側から行われることを特徴する追記型光記録媒体。
１１）  上引層が、記録再生波長における複素屈折率の実部ｎが２．５以上であり、かつ複素屈折率の虚部が０．５以上である材料を含有することを特徴とする１）乃至１０）の何れか１項に記載の追記型光記録媒体。
１２）  上引層が、記録再生波長における複素屈折率の実部ｎが４．０以上である材料を含有することを特徴とする１）乃至１０）の何れか１項に記載の追記型光記録媒体。
１３）  記録レーザ光を照射した際に、有機材料層の光吸収機能及び／又は上引層の光吸収機能によって有機材料層中の有機材料が分解し、記録再生波長での屈折率が増加することで記録が行われることを特徴とする１１）又は１２）記載の追記型光記録媒体。
１４）  記録レーザ光を照射した際に、有機材料層の光吸収機能及び／又は上引層の光吸収機能によって、記録再生波長よりも長波長側に存在する有機材料層の吸収帯の吸収係数が減少し、記録再生波長での屈折率が増加することで記録が行われることを特徴とする１１）又は１２）記載の追記型光記録媒体。
１５）  記録によって上引層が有機材料層側へ変形することを特徴とする１１）又は１２）記載の追記型光記録媒体。
１６）  上引層が有機材料層よりも高硬度を有する材料からなることを特徴とする１１）又は１２）記載の追記型光記録媒体。
１７）  上引層がＳｉ又はＧｅを含有することを特徴とする１１）又は１２）記載の追記型光記録媒体。
１８）  エンハンス層がＳｉＯ２又はＺｎＳ−ＳｉＯ２を主成分とすることを特徴とする１１）又は１２）記載の追記型光記録媒体。
１９）  ３５０ｎｍ以上５００ｎｍ以下の記録再生波長に対応する有機材料層及び上引層を有することを特徴とする１１）又は１２）記載の追記型光記録媒体。
２０）  記録レーザ光の照射によって、有機材料層中の有機材料を分解させ、記録再生波長での屈折率を増加させることで情報の記録再生を行うことを特徴とする１１）又は１２）記載の追記型光記録媒体の記録再生方法。
２１）  記録レーザ光の照射によって、記録再生波長よりも長波長側に存在する有機材料層の吸収帯の吸収係数を減少させ、記録再生波長での屈折率を増加させることで情報の記録再生を行うことを特徴とする１１）又は１２）記載の追記型光記録媒体の記録再生方法。
２２）  記録レーザ光の照射によって、有機材料層中の有機材料を分解させて記録再生波長での屈折率を増加させ、かつ上引層を有機材料層側へ変形させることで情報の記録再生を行うことを特徴とする１１）又は１２）記載の追記型光記録媒体の記録再生方法。
２３）  記録レーザ光の照射によって、記録再生波長よりも長波長側に存在する有機材料層の吸収帯の吸収係数を減少させて記録再生波長での屈折率を増加させ、かつ上引層を有機材料層側へ変形させることで情報の記録再生を行うことを特徴とする１１）又は１２）記載の追記型光記録媒体の記録再生方法。
２４）  記録再生波長を３５０ｎｍ以上５００ｎｍ以下としたことを特徴とする２０）乃至２３）の何れか１項に記載の記録再生方法。